(57)【要約】【課題】宝石、パワーストーンなど様々な種類や形状、サイズの被収容物を交換可能に装着できるとともに、ピアス、イヤリング、ネックレス、ブレスレット、指輪など異なる種類のアクセサリーのチャームとして使用できる装飾体を提供する。【解決手段】被収容物５００を収容する収容部２０と、第１方向Ｄ１および第２方向Ｄ２に向けて移動させる被収容物５００が通過可能な位置に配置されるとともに、被収容物５００の第１方向Ｄ１および第２方向Ｄ２への通過を許容する第１状態Ｐ１と、被収容物５００の第１方向Ｄ１および第２方向Ｄ２への通過を許容しない第２状態Ｐ２と、に切り替えられる挿入部４０と、装着部６００が着脱可能に装着される取付部６０と、を備えた装飾体１００とする。【選択図】図４
2018061699.tif 000002
【特許請求の範囲】
【請求項１】
装着部に取り付けて使用される装飾体であって、
被収容物を収容する収容部と、
前記収容部に前記被収容物を収容するために前記収容部の外部から前記収容部の内部に向けて前記被収容物を移動させる方向を第１方向とし、前記収容部に収容された前記被収容物を取り出すために前記収容部の内部から前記収容部の外部に向けて前記被収容物を移動させる方向を第２方向として、前記第１方向および前記第２方向に向けて移動させる前記被収容物が通過可能な位置に配置されるとともに、前記被収容物の前記第１方向および前記第２方向への通過を許容する第１状態と、前記被収容物の前記第１方向および前記第２方向への通過を許容しない第２状態と、に切り替えられる挿入部と、
前記装着部が着脱可能に装着される取付部と、
を備えた装飾体。
【請求項２】
前記挿入部は、
前記被収容物が通過可能な第１開口部を構成する第１挿入部本体と、
前記第１開口部に対して姿勢変化が可能となるように設けられており、前記第１開口部に対する姿勢を変化させることで前記第１状態および前記第２状態を切り替える規制部と、
を有する請求項１に記載の装飾体。
【請求項３】
前記規制部は、前記第１開口部に対して起倒可能に設けられており、前記第１開口部に対して起倒させることで、前記第１状態および前記第２状態が切り替えられる、
請求項２に記載の装飾体。
【請求項４】
前記挿入部は、
前記第１方向および前記第２方向に対して交差する方向に弾性変形することで、前記第１状態と前記第２状態が切り替えられる、
請求項１に記載の装飾体。
【請求項５】
前記挿入部は、
前記被収容物が通過可能な第２開口部を構成する第２挿入部本体を有し、
前記第２挿入部本体の弾性変形により、前記第２開口部が変形することで前記第１状態と前記第２状態が切り替えられる、
請求項４に記載の装飾体。
【請求項６】
前記第２挿入部本体は、屈曲部を有する、
請求項５に記載の装飾体。
【請求項７】
前記第２挿入部本体は、分離部を有する、
請求項５に記載の装飾体。
【請求項８】
前記挿入部は、
第１支持部と、
前記第１支持部の側方に間隔を置いて配置される第２支持部と、
を有し、
前記挿入部が弾性変形し、前記第１支持部および前記第２支持部の間隔が変化することによって、前記第１状態と前記第２状態が切り替えられる、
請求項４に記載の装飾体。
【請求項９】
前記収容部は、
前記第１支持部および前記第２支持部によって構成されている、
請求項８に記載の装飾体。
【請求項１０】
前記挿入部および／または前記収容部は、前記取付部を兼ねている、
請求項１から請求項９のいずれか１項に記載の装飾体。
【請求項１１】
前記挿入部は、前記収容部および前記取付部を兼ねている、
請求項１から請求項９のいずれか１項に記載の装飾体。
【請求項１２】
前記収容部は、前記取付部を兼ねており、
前記収容部に前記装着部を配置し、前記収容部に前記被収容物を収容させることで、前記収容部に前記装着部が装着される、
請求項１０または請求項１１に記載の装飾体。
【請求項１３】
前記収容部は、螺旋状に形成されている、
請求項１から請求項１２のいずれか１項に記載の装飾体。
【発明の詳細な説明】
【技術分野】
【０００１】
本発明は、宝石、パワーストーンなどの被収容物を交換可能に装着できるとともに、ピアス、イヤリング、ネックレス、ブレスレット、指輪など種類の異なるアクセサリーのチャームとして使用できる装飾体に関する。
【背景技術】
【０００２】
アクセサリーの使用者は、服装や目的あるいは気分などに応じてピアス、イヤリング、ネックレス、ブレスレット、指輪など種類の異なるアクセサリーを使い分けたいという要望を有している。
【０００３】
また、使用者は、アクセサリーに用いられている宝石等自体も服装、目的あるいは気分などに応じて、交換したいという要望を有している。
【０００４】
種類の異なるアクセサリーを使い分けたいという要望に対しては、従来、指輪やネックレスなどに設けられている装飾体（宝石等が設けられている部分、いわゆるチャーム）を装着部（指輪であればリング部分、ネックレスであればチェーン部分）から外し、別の装着部に取り付けて種類の異なるアクセサリーとして使用できるものが開発されている。例えば、実登３２０２２４４号公報には、指輪として使用されている装飾体（チャーム）をリング部分から外して、ネックレスのチェーン部分に取り付けて使用することができる技術が開示されている。
【先行技術文献】
【特許文献】
【０００５】
【特許文献１】実登３２０２２４４号公報
【発明の概要】
【発明が解決しようとする課題】
【０００６】
しかしながら、実登３２０２２４４号公報に開示されている技術では、装飾体（チャーム）を装着部（リング部分等）に着脱可能に取り付けるために複雑な取り外し機構が必要である。このため、装飾体および装着部のデザインが取り外し機構によって制限されてしまうという問題がある。
【０００７】
また、実登３２０２２４４号公報に開示されている技術では、装飾体に設けられている宝石等を交換することは考慮されていない。実登３２０２２４４号公報の装飾体では、宝石は台座に固定されている。従って、宝石を交換する場合は、固定された宝石を台座から外して別の宝石を固定する必要があり、宝石等を交換することは容易ではない。また、台座に取り付け可能な宝石の形状は決まっている。このため、異なる形状の宝石に交換することも容易ではない。
【０００８】
本発明は、宝石、パワーストーンなど様々な種類や形状、サイズの被収容物を交換可能に装着できるとともに、ピアス、イヤリング、ネックレス、ブレスレット、指輪など異なる種類のアクセサリーのチャームとして使用できる装飾体を提供することを目的とする。
【課題を解決するための手段】
【０００９】
本発明の装飾体は、装着部に取り付けて使用される装飾体であって、
被収容物を収容する収容部と、
前記収容部に前記被収容物を収容するために前記収容部の外部から前記収容部の内部に向けて前記被収容物を移動させる方向を第１方向とし、前記収容部に収容された前記被収容物を取り出すために前記収容部の内部から前記収容部の外部に向けて前記被収容物を移動させる方向を第２方向として、前記第１方向および前記第２方向に向けて移動させる前記被収容物が通過可能な位置に配置されるとともに、前記被収容物の前記第１方向および前記第２方向への通過を許容する第１状態と、前記被収容物の前記第１方向および前記第２方向への通過を許容しない第２状態と、に切り替えられる挿入部と、
前記装着部が着脱可能に装着される取付部と、
を備える。
【発明の効果】
【００１０】
本発明の装飾体によれば、宝石、パワーストーンなど様々な種類や形状、サイズの被収容物を交換可能に装着できるとともに、ピアス、イヤリング、ネックレス、ブレスレット、指輪など異なる種類のアクセサリーのチャームとして使用することができる。
【図面の簡単な説明】
【００１１】
【図１】図１は、本発明の実施形態１に係る装飾体の斜視図である。
【図２】図２は、装飾体に被収容物を収容する状態を示す斜視図である。
【図３】図３は、装飾体に被収容物を収容した状態を示す斜視図である。
【図４】図４は、装飾体をネックレスとして使用する状態を示す斜視図である。
【図５】図５は、装飾体を指輪として使用する状態を示す斜視図である。
【図６】図６は、本発明の実施形態２に係る装飾体の斜視図である。
【図７】図７は、装飾体の平面図である。
【図８】図８は、装飾体に被収容物を収容する状態を示す斜視図である。
【図９】図９は、装飾体に被収容物を収容した状態を示す斜視図である。
【図１０】図１０は、本発明の実施形態２の変形例に係る装飾体の斜視図である。
【図１１】図１１は、本発明の実施形態２の変形例に係る装飾体の斜視図である。
【図１２】図１２は、本発明の実施形態３に係る装飾体の斜視図である。
【図１３】図１３は、装飾体に被収容物を収容する状態を示す斜視図である。
【図１４】図１４は、装飾体に被収容物を収容する状態を示す斜視図である。
【図１５】図１５は、装飾体に被収容物を収容した状態を示す斜視図である。
【図１６】図１６は、装飾体に取付部を設けた場合を示す斜視図である。
【図１７】図１７は、本発明の実施形態３の変形例に係る装飾体の斜視図である。
【図１８】図１８は、本発明の実施形態３の変形例に係る装飾体の斜視図である。
【図１９】図１９は、本発明の実施形態３の変形例に係る装飾体の斜視図である。
【図２０】図２０は、本発明の実施形態３の変形例に係る装飾体の斜視図である。
【図２１】図２１は、本発明の実施形態３の変形例に係る装飾体の斜視図である。
【図２２】図２２は、本発明の実施形態３の変形例に係る装飾体の斜視図である。
【図２３】図２３は、本発明の実施形態３の変形例に係る装飾体の斜視図である。
【図２４】図２４は、本発明の実施形態３の変形例に係る装飾体の斜視図である。
【発明を実施するための形態】
【００１２】
本発明の一実施形態にかかる装飾体は、
装着部に取り付けて使用される装飾体であって、
被収容物を収容する収容部と、
前記収容部に前記被収容物を収容するために前記収容部の外部から前記収容部の内部に向けて前記被収容物を移動させる方向を第１方向とし、前記収容部に収容された前記被収容物を取り出すために前記収容部の内部から前記収容部の外部に向けて前記被収容物を移動させる方向を第２方向として、前記第１方向および前記第２方向に向けて移動させる前記被収容物が通過可能な位置に配置されるとともに、前記被収容物の前記第１方向および前記第２方向への通過を許容する第１状態と、前記被収容物の前記第１方向および前記第２方向への通過を許容しない第２状態と、に切り替えられる挿入部と、
前記装着部が着脱可能に装着される取付部と、
を備える（第１の構成）。
【００１３】
上記構成によれば、挿入部を第１状態と第２状態に切り替えることで、収容部に収容した被収容物の交換を容易に行うことができる。また、装飾体を取り付ける装着部を容易に交換することもできる。このため、宝石、パワーストーンなど様々な種類や形状、サイズの被収容物を交換可能に装着できるとともに、ピアス、イヤリング、ネックレス、ブレスレット、指輪など異なる種類のアクセサリーのチャームとして使用することができる。
【００１４】
上記第１の構成において、前記挿入部は、
前記被収容物が通過可能な第１開口部を構成する第１挿入部本体と、
前記第１開口部に対して姿勢変化が可能となるように設けられており、前記第１開口部に対する姿勢を変化させることで前記第１状態および前記第２状態を切り替える規制部と、
を有してもよい（第２の構成）。
【００１５】
上記構成によれば、第１挿入部本体に対する規制部の姿勢を変化させることで、第１状態および第２状態を切り替えることができる。このため、収容部に収容した被収容物の交換を容易に行うことができる。
【００１６】
上記第２の構成において、
前記規制部は、第１開口部に対して起倒可能に設けられており、前記第１開口部に対して起倒させることで、前記第１状態および前記第２状態が切り替えられてもよい（第３の構成）。
【００１７】
上記構成によれば、規制部は、第１開口部に対して起倒可能に設けられている。このため、規制部の構成を簡易なものにすることができ、装飾体のデザインの自由度を増大させることができる。
【００１８】
上記第１の構成において、前記挿入部は、
前記第１方向および前記第２方向に対して交差する方向に弾性変形することで、前記第１状態と前記第２状態が切り替えられてもよい（第４の構成）。
【００１９】
上記構成によれば、挿入部は、第１方向および第２方向に対して交差する方向に弾性変形することで、第１状態と第２状態を切り替えることができる。このため、収容部に収容した被収容物の交換を容易に行うことができる。
【００２０】
上記第４の構成において、前記挿入部は、
前記被収容物が通過可能な第２開口部を構成する第２挿入部本体を有し、
前記第２挿入部本体の弾性変形により、前記第２開口部が変形することで前記第１状態と前記第２状態が切り替えられてもよい（第５の構成）。
【００２１】
上記構成によれば、挿入部は、第２挿入部本体の弾性変形により、第２開口部が変形することで第１状態と第２状態が切り替えられる。このため、収容部に収容した被収容物の交換を容易に行うことができる。
【００２２】
上記第５の構成において、
前記第２挿入部本体は、屈曲部を有してもよい（第６の構成）。
【００２３】
上記構成によれば、第２挿入部本体を弾性変形させやすくすることができ、収容部に収容した被収容物の交換を容易に行うことができる。
【００２４】
上記第５の構成において、
前記第２挿入部本体は、分離部を有してもよい（第７の構成）。
【００２５】
上記構成によれば、第２挿入部本体を弾性変形させやすくすることができ、収容部に収容した被収容物の交換を容易に行うことができる。
【００２６】
上記第４の構成において、前記挿入部は、
第１支持部と、
前記第１支持部の側方に間隔を置いて配置される第２支持部と、
を有し、
前記挿入部が弾性変形し、前記第１支持部および前記第２支持部の間隔が変化することによって、前記第１状態と前記第２状態が切り替えられてもよい（第８の構成）。
【００２７】
上記構成によれば、挿入部が弾性変形し、第１支持部および第２支持部の間隔が変化することによって、第１状態と第２状態が切り替えられる。このため、収容部に収容した被収容物の交換を容易に行うことができる。
【００２８】
上記第８の構成において、前記収容部は、
前記第１支持部および前記第２支持部によって構成されていてもよい（第９の構成）。
【００２９】
上記構成によれば、収容部は、第１支持部および第２支持部によって構成されている。このため、収容部の構成を簡易なものにすることができ、装飾体のデザインの自由度を増大させることができる。
【００３０】
上記第１から第９の構成において、
前記挿入部および／または前記収容部は、前記取付部を兼ねていてもよい（第１０の構成）。
【００３１】
上記構成によれば、装飾体の構成を簡易なものにすることができ、装飾体のデザインの自由度を増大させることができる。
【００３２】
上記第１から第９の構成において、
前記挿入部は、前記収容部および前記取付部を兼ねていてもよい（第１１の構成）。
【００３３】
上記構成によれば、装飾体の構成を簡易なものにすることができ、装飾体のデザインの自由度を増大させることができる。
【００３４】
上記第１０または第１１の構成において、前記収容部は、前記取付部を兼ねており、
前記収容部に前記装着部を配置し、前記収容部に前記被収容物を収容させることで、前記収容部に前記装着部が装着されてもよい（第１２の構成）。
【００３５】
上記構成によれば、収容部に装着部を配置し、収容部に被収容物を収容させることで、収容部に装着部が装着される。このため、装飾体を取り付ける装着部を容易に交換することができる。
【００３６】
上記第１から第１２のいずれかの構成において、
前記収容部は、螺旋状に形成されていてもよい（第１３の構成）。
【００３７】
上記構成によれば、収容部は、螺旋状に形成されているため、被収容物を外部から視認しやすくすることができる。
【００３８】
［実施形態１］
以下、図面を参照し、本発明の実施形態１に係る装飾体１００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００３９】
［全体構成］
まず、装飾体１００の全体構成について説明する。図１は、本発明の実施形態１に係る装飾体１００の斜視図である。装飾体１００は、宝石、パワーストーンなどの被収容物５００（図２および図３参照）を交換可能に装着できるとともに、ピアス、イヤリング、ネックレス、ブレスレット、指輪、ブローチ、タイピンなどの装着部６００（図４および図５参照）に交換可能に取り付けることで、種類の異なるアクセサリーとして使用することができる。以下の図では、矢印Ｒは装飾体１００の右方向を示し、矢印Ｌは左方向を示す。矢印Ｕは上方向、矢印Ｄは下方向を示す。矢印Ｆは前方向、矢印Ｂは後方向を示す。
【００４０】
図１に示すように、装飾体１００は、収容部２０、挿入部４０および取付部６０を備えている。本実施形態では、収容部２０または挿入部４０は取付部６０を兼ねている。収容部２０、挿入部４０および取付部６０に用いられる素材として、金、銀、プラチナなどの貴金属素材や銅、真鍮、ステンレスなどの金属素材、あるいは合成樹脂素材、木材、ガラスなどを用いることができる。本実施形態の装飾体１００は、銀素材を用いて構成されているが、素材は限定されるものではない。
【００４１】
収容部２０は、被収容物５００を収容する部分である。本実施形態の収容部２０は、線材を用いて螺旋状に形成されている。螺旋の半径は、収容部２０の上部から下部に向かうに従って、徐々に小さくなっている。収容部２０の内側には、被収容物５００を収容するための収容空間２１が構成されている。
【００４２】
収容部２０の下部には、線材の端部によって受け部２２が形成されている。収容空間２１に収容された被収容物５００は、螺旋状の収容部２０の内側面および受け部２２によって支持される。収容部２０の螺旋形状のピッチは、収容された被収容物５００を外部から視認しやすく、かつ、被収容物５００が抜け落ちにくい寸法に設定されている。収容部２０の上部は、開放部２３となっている。開放部２３を介して収容空間２１に対して被収容物５００を出し入れすることが可能になっている。なお、本実施形態の収容部２０は下部にいくほど半径が小さくなる螺旋状としたが、この形状に限定されず、種々の形状の螺旋とすることができる。また、収容部２０の形状は螺旋に限定されない。
【００４３】
ここで、収容部２０の収容空間２１に被収容物５００を収容するために、収容部２０の外部から収容部２０の内部に向けて被収容物５００を移動させる方向を第１方向Ｄ１とする。反対に、収容部２０の収容空間２１に収容された被収容物５００を取り出すために、収容部２０の内部から収容部２０の外部に向けて被収容物５００を移動させる方向を第２方向Ｄ２とする。図１では、第１方向Ｄ１および第２方向Ｄ２を矢印で示している。
【００４４】
挿入部４０は、第１挿入部本体４１、および規制部４５を有している。第１挿入部本体４１は、環状であり、中央部に第１開口部４３を有している。第１挿入部本体４１は、収容部２０に対して第１方向Ｄ１および第２方向Ｄ２に向けて移動させる被収容物５００が第１開口部４３を通過可能な位置に配置されている。言い換えると、第１挿入部本体４１は、第１開口部４３が収容部２０の開放部２３に連通するように配置されている。なお、本実施形態では、第１挿入部本体４１は切れ目のない閉じた環形状であるが、これに限定されない。たとえば、第１挿入部本体４１に仮想線で示す切れ目により分離部４１１が形成され、第１開口部４３の一部が開いた形状であってもよい。
【００４５】
第１挿入部本体４１と収容部２０は、ろう付けによって接合されているが、部材と部材の接合は、ろう付け等の溶接手段の他、他の接合手段を用いてもよい。例えば、部材を構成する素材によっては、接着剤など種々の接合手段を用いることができる。
【００４６】
規制部４５は、挿入部４０の状態を、第１状態Ｐ１（図１参照）と第２状態Ｐ２（図３参照）とに切り替えるための部材である。第１状態Ｐ１は、被収容物５００が第１方向Ｄ１および第２方向Ｄ２へ通過することを許容する状態である。第２状態Ｐ２は、被収容物５００が第１方向Ｄ１および第２方向Ｄ２へ通過することを許容しない状態である。規制部４５は、第１規制部４６、第２規制部４７、および係止部４８を有している。
【００４７】
第１規制部４６および第２規制部４７は、第１挿入部本体４１に対して姿勢変化可能に設けられている。第１挿入部本体４１に対する第１規制部４６および第２規制部４７の姿勢を変化させることで、第１状態Ｐ１および第２状態Ｐ２が切り替えられる。
【００４８】
第１規制部４６および第２規制部４７は、それぞれ線材で構成された半円形状の部材である。第１規制部４６の両端は、互いに対向する向きに折り曲げられて各々軸部４９が形成されている。第２規制部４７の両端も、互いに対向する向きに折り曲げられて各々軸部４９が形成されている。第１挿入部本体４１には、第１規制部４６および第２規制部４７の軸部４９が挿入される軸穴４４が形成されている。第１規制部４６および第２規制部４７の軸部４９が第１挿入部本体４１の軸穴４４に回転可能に挿入されることにより、第１規制部４６および第２規制部４７は、第１挿入部本体４１に対して起倒可能に支持されている。
【００４９】
そして、第１規制部４６および第２規制部４７を第１挿入部本体４１に対して起立させた状態にすると（図３参照）、第１規制部４６および第２規制部４７は、第１方向Ｄ１または第２方向Ｄ２から見て前記第１開口部に一部が重なる位置に移動する。この状態が第２状態Ｐ２であり、被収容物５００が第１開口部４３を通過することを許容しない状態である。つまり、収容部２０に収容された被収容物５００は、第１規制部４６および第２規制部４７によって第１開口部４３を通過できない状態となり、収容状態が維持される。
【００５０】
一方、第１規制部４６および第２規制部４７を第１挿入部本体４１に対して倒した状態にすると（図１および図２参照）、第１規制部４６および第２規制部４７は、第１方向Ｄ１または第２方向Ｄ２から見て前記第１開口部から退避した位置に移動する。この状態が第１状態Ｐ１であり、被収容物５００が第１開口部４３を通過することを許容する状態である。つまり、被収容物５００は、第１開口部４３を通過可能な状態となり、収容部２０に被収容物５００を収容したり、収容部２０に収容した被収容物５００を取り出すことが可能な状態となる。
【００５１】
このように、第１規制部４６および第２規制部４７を第１挿入部本体４１に対して起倒させることで、第１状態Ｐ１および第２状態Ｐ２が切り替えられる。なお、第１規制部４６および第２規制部４７は、完全に起立した状態と倒れた状態に切り替わらなくてもよい。たとえば、第１規制部４６および第２規制部４７が完全に起立した状態にならなくても、実質的に被収容物５００が第１開口部４３を通過することを許容しない状態となれば第２状態Ｐ２であるということができる。また、第１規制部４６および第２規制部４７が完全に倒れた状態にならなくても、実質的に被収容物５００が第１開口部４３を通過することを許容する状態となれば第１状態Ｐ１であるということができる。また、本実施形態では、第１規制部４６および第２規制部４７の２本の規制部材を設けたが、第１状態Ｐ１および第２状態Ｐ２の切り替え、および、第２状態Ｐ２の維持が可能であれば、規制部材の本数は限定されない。
【００５２】
係止部４８は、連結部４８１および鉤部４８２を有している。係止部４８は、線材を折り曲げて形成されている。連結部４８１は環状の部分である。連結部４８１には第１規制部４６が挿通されており、第１規制部４６に対して移動可能に支持されている。鉤部４８２は、鉤状の部分である。第１規制部４６および第２規制部４７を第１挿入部本体４１に対して起立させた状態で、鉤部４８２を第２規制部４７に係止させることが可能である（図３参照）。係止部４８によって第１規制部４６および第２規制部４７を連結させることで、第１規制部４６および第２規制部４７を第２状態Ｐ２に維持することができる。なお、係止部４８は必須の部材ではなく、別の手段で第１規制部４６および第２規制部４７を第２状態Ｐ２に維持することができれば、係止部４８を設けなくてもよい。
【００５３】
取付部６０は、ピアス、イヤリング、ネックレス、ブレスレット、指輪、ブローチ、タイピンなどの装着部６００が着脱可能に装着される部分である。本実施形態では、取付部６０は、挿入部４０または収容部２０が兼ねている。装着部６００は、例えば、ピアスの場合はピアス金具、イヤリングの場合はイヤリング金具、ネックレスやブレスレットの場合はチェーンなど、指輪の場合はリング部材などが該当する。取付部６０に装着部６００が装着されることにより、装飾体１００をアクセサリーとして使用することが可能になる。また、取付部６０に装着される装着部６００を交換することにより、装飾体１００を異なる種類のアクセサリーとして使用することが可能になる。例えば、取付部６０に装着部６００としてのチェーン６１０を装着してネックレスとして使用する状態から（図４参照）、チェーン６１０を取り外して装着部６００としての指輪のリング６２０を装着することにより（図５参照）、装飾体１００を指輪として使用することが可能となる。取付部６０を兼ねる挿入部４０に装着部６００を装着する場合（図４参照）、および取付部６０を兼ねる収容部２０に装着部６００を装着する場合（図５参照）については後述する。
【００５４】
［被収容物の収容］
次に、装飾体１００に被収容物５００を収容させる場合について説明する。図２は、装飾体１００に被収容物５００（５０１、５０２）を収容する状態を示す斜視図である。図３は、装飾体１００に被収容物５００（５０１、５０２）を収容した状態を示す斜視図である。
【００５５】
図２に示すように、装飾体１００に被収容物５００を収容する場合、挿入部４０の状態を第１状態Ｐ１に切り替える。すなわち、装飾体１００の第１規制部４６および第２規制部４７を第１挿入部本体４１に対して倒した状態とし、被収容物５００が第１開口部４３を第１方向Ｄ１へ通過することを許容した状態とする。
【００５６】
図２に示す被収容物５００（５０１、５０２）は一例であり、例えば球形状のパワーストーンである。被収容物５０１，５０２の直径は、第１開口部４３の直径よりも小さいため、被収容物５０１，５０２は第１開口部４３を通過可能である。また、被収容物５０１，５０２の直径は、収容部２０の螺旋形状のピッチよりも大きい。このため、被収容物５０１，５０２は、収容部２０の螺旋形状の隙間から抜け落ちずに収容される。図２では、被収容物５０１を先に収容し、被収容物５０１の上方に被収容物５０２を収容する状態を示している。
【００５７】
続いて、図３に示すように、収容部２０に被収容物５０１，５０２を収容した後、挿入部４０の状態を第２状態Ｐ２に切り替える。すなわち、第１規制部４６および第２規制部４７を第１挿入部本体４１に対して起立させた状態として、被収容物５０１，５０２が第１開口部４３を第１方向Ｄ１および第２方向Ｄ２へ通過することを許容しない状態とする。また、係止部４８によって第１規制部４６および第２規制部４７を連結させることで、第１規制部４６および第２規制部４７を起立させた状態を維持して第２状態Ｐ２を維持することができる。
【００５８】
なお、図３に示すように、被収容物５００（５０２）の一部は、収容部２０および第１開口部４３の上方に突出している。しかしながら、被収容物５００（５０１、５０２）は第１規制部４６および第２規制部４７により収容部２０に収容された状態が維持されている。このように、被収容物５００の形状や寸法によっては、収容部２０から一部が突出した状態で収容される場合もある。
【００５９】
また、被収容物５００の形状は球体に限定されない。被収容物５００の形状は、挿入部４０が第１状態Ｐ１のときに第１開口部４３を通過でき、挿入部４０が第２状態Ｐ２のときに収容部２０に収容された状態が維持されるものであればよい。被収容物５００の形状としては、例えば、表面に凹凸を有する、いわゆるラフカットやラフストーンと呼ばれる形状のものでもよく、表面に平面部を有するファセットカットや曲面部を有するカブションカットであってもよい。また、平面視で円形、楕円形、多角形、その他の形状を有するものでもよい。
【００６０】
［装着部の取り付け］
次に、装飾体１００にピアス、イヤリング、ネックレス、ブレスレット、指輪、ブローチ、タイピンなどの装着部６００に交換可能に取り付ける場合について説明する。図４は、装飾体１００をネックレスとして使用する状態を示す斜視図である。図５は、装飾体１００を指輪として使用する状態を示す斜視図である。
【００６１】
図４に示すように、収容部２０に被収容物５０１，５０２を収容した後、装着部６００としてのネックレスのチェーン６１０を第１規制部４６および第２規制部４７を挿通させるように取り付けることで、装飾体１００をネックレスのチャームとして使用することができる。なお、ネックレスのチェーン６１０を取り付ける位置は、第１規制部４６および第２規制部４７に限定されず、例えば、図５の指輪のリング６２０の位置にネックレスのチェーン６１０を取り付けてもよい。
【００６２】
また、図５に示すように、装飾体１００に指輪のリング６２０を装着することで、装飾体１００を指輪のチャームとして使用することができる。装飾体１００に指輪のリング６２０を取り付けるには、まず、図２に示すように収容部２０に被収容物５０１を収容した状態で、指輪のリング６２０に収容部２０を挿通させる。次に、リング６２０を被収容物５０１の上方に配置した状態で、収容部２０に被収容物５０２を収容する。そして、第１規制部４６および第２規制部４７を第１挿入部本体４１に対して起立させた状態とし、係止部４８によって第１規制部４６および第２規制部４７を連結させる。これにより、図５に示すように、装飾体１００に指輪のリング６２０を装着することができる。
【００６３】
［種類の異なるアクセサリーへの変更］
装飾体１００をネックレスのチャームとして使用する状態から、指輪のチャームとして使用する状態に変更する場合は、装飾体１００に装着したネックレスのチェーン６１０を取り外してから、装飾体１００に指輪のリング６２０を装着する。装飾体１００に指輪のリング６２０を装着する場合、まず装飾体１００に装着されたネックレスのチェーン６１０（図４参照）を取り外して図３の状態とする。次に、係止部４８の鉤部４８２を第２規制部４７から外し、第１規制部４６および第２規制部４７を第１挿入部本体４１に対して倒すことで、挿入部４０を第１状態Ｐ１に切り替える（図２参照）。この状態で、収容部２０に収容した被収容物５０２を取り出すことが可能となる。
【００６４】
そして、収容部２０に収容した被収容物５０２を一旦取り出し、図２に示すように収容部２０に被収容物５０１を残した状態とする。この状態で、指輪のリング６２０を装着する上述の手順と同様に、指輪のリング６２０に収容部２０を挿通させ、リング６２０を被収容物５０１の上方に配置した状態で、収容部２０に被収容物５０２を再度収容する。そして、第１規制部４６および第２規制部４７を第１挿入部本体４１に対して起立させ、挿入部４０を第２状態Ｐ２に切り替えた状態とし、係止部４８によって第１規制部４６および第２規制部４７を連結させる。このような手順により、図５に示すように、装飾体１００に指輪のリング６２０を装着することができる。なお、アクセサリーの種類によっては、収容部２０に被収容物５０１，５０２を収容した状態のまま、種類の異なる装着部６００に交換することができる。
【００６５】
［被収容物の交換］
装飾体１００に収容されている被収容物５００の交換は、以下の手順で容易に行うことができる。図３の状態から被収容物５００を交換する場合、まず、係止部４８の鉤部４８２を第２規制部４７から外し、第１規制部４６および第２規制部４７を第１挿入部本体４１に対して倒すことで、挿入部４０を第１状態Ｐ１に切り替える。次に、収容部２０から被収容物５０１，５０２を取り出した上で、収容部２０に新たな色、素材、あるいは形状等の被収容物５００を収容する。収容部２０に新たな被収容物５００を収容した後、挿入部４０の状態を第２状態Ｐ２に切り替える。すなわち、第１規制部４６および第２規制部４７を第１挿入部本体４１に対して起立させた状態とし、被収容物５０１，５０２が第１方向Ｄ１および第２方向Ｄ２へ通過することを許容しない状態とする。さらに、係止部４８によって第１規制部４６および第２規制部４７を連結させて第２状態Ｐ２に維持することで、被収容物５００の交換が完了する。
【００６６】
［実施形態１の効果］
装飾体１００によれば、挿入部４０を第１状態Ｐ１と第２状態Ｐ２に切り替えることで、収容部２０に収容した被収容物５００の交換を容易に行うことができる。また、装飾体１００を取り付ける装着部６００を容易に交換することもできる。このため、宝石、パワーストーンなど様々な種類や形状、サイズの被収容物５００を交換可能に装着できるとともに、ピアス、イヤリング、ネックレス、ブレスレット、指輪、ブローチ、タイピンなど異なる種類のアクセサリーのチャームとして使用することができる。
【００６７】
装飾体１００によれば、第１開口部４３に対する規制部４５の姿勢を変化させることで、第１状態Ｐ１および第２状態Ｐ２を切り替えることができる。このため、収容部２０に収容した被収容物５００の交換を容易に行うことができる。
【００６８】
装飾体１００によれば、第１挿入部本体４１は、第１開口部４３に対して起倒可能に設けられており、第１開口部４３に対して起倒させることで、第１状態Ｐ１および第２状態Ｐ２が切り替えられる。このため、規制部４５の構成を簡易なものにすることができ、装飾体１００のデザインの自由度を増大させることができる。
【００６９】
装飾体１００によれば、挿入部４０または収容部２０は、取付部６０を兼ねている。このため、装飾体１００の構成を簡易なものにすることができ、装飾体１００のデザインの自由度を増大させることができる。
【００７０】
装飾体１００によれば、収容部２０に装着部６００を配置したうえで、収容部２０に被収容物５００（５０２）を収容させることで、収容部２０に装着部６００が装着される。このため、装飾体１００を取り付ける装着部６００を容易に交換することができる。
【００７１】
装飾体１００によれば、収容部２０は螺旋状に形成されているため、被収容物５００を外部から視認しやすくすることができる。
【００７２】
［実施形態２］
実施形態２の装飾体２００では、挿入部１４０が弾性変形することで、第１状態Ｐ１と第２状態Ｐ２が切り替えられる点で実施形態１の装飾体１００とは異なる。以下の説明において、実施形態１と同様の構成には同一の符号を付して説明を省略し、実施形態１と異なる構成についてのみ説明する。
【００７３】
［全体構成］
図６は、本発明の実施形態２に係る装飾体２００の斜視図である。図７は、装飾体２００の平面図である。図６に示すように、装飾体２００は、収容部１２０、挿入部１４０および取付部１６０を備えている。本実施形態では、収容部１２０が取付部１６０を兼ねている。
【００７４】
収容部１２０は、被収容物５００を収容する部分である。本実施形態の収容部１２０は、屈曲させた線材をろう付けすることで形成されている。収容部１２０の内側には、被収容物５００を収容するための収容空間１２１が構成されている。
【００７５】
収容部１２０は、第１収容部材１２２、第２収容部材１２３、および第３収容部材１２４で構成されている。第１収容部材１２２は、平面視で略半円形であり。後方に向けて湾曲している（図７参照）。第２収容部材１２３および第３収容部材１２４は、それぞれ上下方向に延びている。第２収容部材１２３および第３収容部材１２４の下部は、それぞれ第１収容部材１２２の後部に接合されている。
【００７６】
収容空間１２１に収容された被収容物５００は、第１収容部材１２２、第２収容部材１２３、および第３収容部材１２４の内側面によって支持される。第１収容部材１２２、第２収容部材１２３、および第３収容部材１２４の間隔は、収容された被収容物５００を外部から視認しやすく、かつ、被収容物５００が抜け落ちにくい寸法に設定されている。収容部１２０の上部は、開放部１２５となっている。開放部１２５を介して収容空間１２１に対して被収容物５００を出し入れすることが可能になっている。
【００７７】
ここで、収容部１２０の収容空間１２１に被収容物５００を収容するために、収容部１２０の外部から収容部１２０の内部に向けて被収容物５００を移動させる方向を第１方向Ｄ１とする。反対に、収容部１２０の収容空間１２１に収容された被収容物５００を取り出すために、収容部１２０の内部から収容部１２０の外部に向けて被収容物５００を移動させる方向を第２方向Ｄ２とする。図６では、第１方向Ｄ１および第２方向Ｄ２を矢印で示している。
【００７８】
挿入部１４０は、第２挿入部本体１４１を有している。図７に示すように、第２挿入部本体１４１は、平面視で略環状であり、中央部に第２開口部１４３を有している。第２挿入部本体１４１は、収容部１２０に対して第１方向Ｄ１および第２方向Ｄ２に向けて移動させる被収容物５００が第２開口部１４３を通過可能な位置に配置されている。言い換えると、第２挿入部本体１４１は、第２開口部１４３が収容部１２０の開放部１２５に連通するように配置されている。
【００７９】
第２挿入部本体１４１は、第１挿入部材１４５、第２挿入部材１４６、第１屈曲部１４７および第２屈曲部１４８を有している。第１挿入部材１４５は、第２挿入部本体１４１の左部を構成しており、第２挿入部材１４６は、第２挿入部本体１４１の右部を構成している。第１挿入部材１４５および第２挿入部材１４６は、それぞれ略半円形状に湾曲している。第１屈曲部１４７および第２屈曲部１４８は、それぞれ第１挿入部材１４５および第２挿入部材１４６を接続する位置に配置されている。第１屈曲部１４７および第２屈曲部１４８は、下方に向けて屈曲している（図６参照）。言い換えると、第１屈曲部１４７および第２屈曲部１４８は、第１方向Ｄ１に向けて屈曲している。第２挿入部本体１４１は、平面視では略環状であるが、正面視では、第１屈曲部１４７および第２屈曲部１４８において略「く」字形に屈曲した形状である。第２挿入部本体１４１は、ろう付けによって挿入部１４０に接合されている。
【００８０】
図６を参照して、第２挿入部本体１４１は、第１方向Ｄ１および第２方向Ｄ２に対して交差する方向に弾性変形することで第２開口部１４３が変形し、第１状態Ｐ１と第２状態Ｐ２が切り替えられる。具体的には、第２挿入部本体１４１は、第１屈曲部１４７および第２屈曲部１４８において屈曲しているため、第１挿入部材１４５および第２挿入部材１４６を外向きに広げる力Ｆ１およびＦ２が加わると、第１挿入部材１４５および第２挿入部材１４６に曲げ応力が作用し、第１挿入部材１４５および第２挿入部材１４６は、それぞれ矢印Ｔ１および矢印Ｔ２の方向に弾性変形する。これにより、第２開口部１４３の形状が変化し、被収容物５００が第２開口部１４３を第１方向Ｄ１および第２方向Ｄ２へ通過することを許容する状態（第１状態Ｐ１）となる。
【００８１】
これに対して、第１挿入部材１４５および第２挿入部材１４６を外向きに広げる力Ｆ１およびＦ２が加わらない状態では、第２開口部１４３は元の形状に戻り、被収容物５００が第２開口部１４３を第１方向Ｄ１および第２方向Ｄ２へ通過することを許容しない状態（第２状態Ｐ２）に切り替えられる。つまり、第２挿入部本体１４１は、第１挿入部材１４５および第２挿入部材１４６を外向きに広げる力Ｆ１およびＦ２の有無によって、第１状態Ｐ１と第２状態Ｐ２が切り替えられる。
【００８２】
なお、第１屈曲部１４７および第２屈曲部１４８は、第１方向Ｄ１に向けて屈曲しているが、第２方向Ｄ２（上方）に向けて屈曲していてもよい。また、屈曲する方向は、厳密に第１方向Ｄ１または第２方向Ｄ２でなくてもよい。第１屈曲部１４７および第２屈曲部１４８が屈曲する方向は、第１挿入部材１４５および第２挿入部材１４６を外向きに広げる力Ｆ１およびＦ２が加わった状態で、第２開口部１４３が第１状態Ｐ１となる方向であればよい。また、本実施形態では、第１屈曲部１４７および第２屈曲部１４８の２か所の屈曲部を設けたが、１か所でもよく、３か所以上に設けてもよい。
【００８３】
［被収容物の収容］
次に、装飾体２００に被収容物５００を収容させる場合について説明する。図８は、装飾体２００に被収容物５００を収容する状態を示す斜視図である。図９は、装飾体２００に被収容物５００を収容した状態を示す斜視図である。図８および図９に示す被収容物５００は一例であり、例えば球形状のパワーストーンである。被収容物５００の半径は、第２状態Ｐ２の第２開口部１４３より僅かに大きく、第２状態Ｐ２の第２開口部１４３を第１方向Ｄ１および第２方向Ｄ２へ通過することができないものとする。
【００８４】
図８に示すように、装飾体２００に被収容物５００を収容する場合、第２状態Ｐ２の第２開口部１４３に対して被収容物５００を第１方向Ｄ１に向けて挿入する。被収容物５００は、第２状態Ｐ２の第２開口部１４３を通過できない大きさであり、第１挿入部材１４５および第２挿入部材１４６に接触する。この状態で被収容物５００を第１方向Ｄ１に向けてさらに押し付けることにより、第１挿入部材１４５および第２挿入部材１４６に対して外向きの力Ｆ１およびＦ２が加わる。これにより、第１挿入部材１４５および第２挿入部材１４６は、それぞれ矢印Ｔ１および矢印Ｔ２の方向に弾性変形して、挿入部１４０が第２状態Ｐ２から第１状態Ｐ１に切り替えられる。そして、さらに挿入部１４０に対して被収容物５００を第１方向Ｄ１に向けて押し込むことにより、図９に示すように、被収容物５００は、第１状態Ｐ１となった第２開口部１４３を通過し、収容部１２０の収容空間１２１に収容される。被収容物５００が第２開口部１４３を通過して収容部１２０に収容されると、第１挿入部材１４５および第２挿入部材１４６には外向きの力Ｆ１およびＦ２が加わらなくなる。すると、第２開口部１４３は、第１状態Ｐ１から第２状態Ｐ２に戻るため、収容部１２０に被収容物５００が収容された状態が維持される。
【００８５】
なお、被収容物５００の形状は球体に限定されない。被収容物５００の形状は、挿入部１４０が第１状態Ｐ１のときに第２開口部１４３を通過でき、挿入部１４０が第２状態Ｐ２のときに収容部１２０に収容された状態が維持されるものであればよい。
【００８６】
［被収容物の交換］
被収容物５００を交換する場合など、装飾体２００に収容された被収容物５００を取り出す場合、収容する場合とは反対に、第２状態Ｐ２である挿入部１４０に対して収容部１２０の内側から被収容物５００を第２方向Ｄ２に向けて押し出す（図９参照）。すると、被収容物５００は第１挿入部材１４５および第２挿入部材１４６のそれぞれ下部に接触し、第１挿入部材１４５および第２挿入部材１４６には外向きの力Ｆ１およびＦ２が加わる。これにより、第１挿入部材１４５および第２挿入部材１４６がそれぞれ矢印Ｔ１および矢印Ｔ２の方向に弾性変形して、挿入部１４０が第１状態Ｐ１に切り替えられる。さらに挿入部１４０に対して被収容物５００を第２方向Ｄ２に向けて押し出すことにより、被収容物５００は、第１状態Ｐ１となった挿入部１４０を通過し、収容部１２０の収容空間１２１から外部に取り出される（図８参照）。
【００８７】
［装着部の取り付け］
装飾体２００は、収容部１２０が取付部１６０を兼ねている。このため、例えば装飾体２００をネックレスやブレスレットとして使用する場合、図９に示すように、例えば第１収容部材１２２と被収容物５００の隙間に装着部６００としてのチェーン６１０を取り付けることができる。なお、チェーン６１０を取り付ける位置は、第１収容部材１２２に限定されない。また、チェーン６１０を挿通させて取り付けるのではなく、例えば、連結用の金具（例えば、クラスプ）を用いて取り付けてもよい。チェーン６１０を取り付ける位置を変更することにより、装飾体２００を様々な姿勢で使用することができる。なお、挿入部１４０を取付部１６０として、挿入部１４０に装着部６００を取り付けてもよい。
【００８８】
［実施形態２の効果］
装飾体２００によれば、挿入部１４０は、第１方向Ｄ１および第２方向Ｄ２に対して交差する方向に弾性変形することで、第１状態Ｐ１と第２状態Ｐ２を切り替えることができる。このため、収容部１４０に収容した被収容物５００の交換を容易に行うことができる。
【００８９】
装飾体２００によれば、挿入部１４０は、第２挿入部本体１４１の弾性変形により、第２開口部１４３が変形することで第１状態Ｐ１と第２状態Ｐ２が切り替えられる。このため、収容部１２０に収容した被収容物５００の交換を容易に行うことができる。
【００９０】
装飾体２００によれば、挿入部１４０は、第２挿入部本体１４１に形成され、第１方向Ｄ１または第２方向Ｄ２に向けて屈曲する屈曲部１４７，１４８を有する。このため、簡易な構成で第２挿入部本体１４１を弾性変形させやすくすることができ、収容部１２０に収容した被収容物５００の交換を容易に行うことができる。
【００９１】
装飾体２００によれば、挿入部１４０または収容部１２０は、取付部１６０を兼ねている。このため、装飾体２００の構成を簡易なものにすることができ、装飾体２００のデザインの自由度を増大させることができる。
【００９２】
［変形例］
上記説明した装飾体２００では、第２挿入部本体１４１は切れ目のない閉じた環形状であるが、これに限定されない。たとえば、第２挿入部本体１４１の一部に切れ目が形成され、第２開口部１４３の一部が開いた形状であってもよい。以下、図１０および図１１を用いて実施形態２の変形例について説明する。
【００９３】
図１０は、本発明の実施形態２の第１の変形例に係る装飾体２００Ａの斜視図である。図１０に示すように、第２挿入部本体１４１Ａは、第１挿入部材１４５１、第２挿入部材１４６１、第２屈曲部１４８１、第１端部部材１４５１Ａ、および第２端部部材１４６１Ａを有している。第１挿入部材１４５１は、第２挿入部本体１４１Ａの左部を構成しており、第２挿入部材１４６１は、第２挿入部本体１４１Ａの右部を構成している。第１挿入部材１４５１および第２挿入部材１４６１の後部は接続されており、第２屈曲部１４８１が配置されている。一方、第１挿入部材１４５１および第２挿入部材１４６１の前部は接続されておらず、分離部１４９が形成されている。つまり、第２挿入部本体１４１Ａは、閉じた環形状ではなく、第２開口部１４３Ａの一部が開いた形状である。分離部１４９を構成する第１挿入部材１４５１および第２挿入部材１４６１の端部は、第２挿入部本体１４１Ａの弾性変形に伴って間隔が変化する。
【００９４】
分離部１４９を構成する第１挿入部材１４５１および第２挿入部材１４６１の端部には、それぞれ第１端部部材１４５１Ａおよび第２端部部材１４６１Ａが設けられている。第１端部部材１４５１Ａおよび第２端部部材１４６１Ａは、それぞれ球形を有している。第１端部部材１４５１Ａおよび第２端部部材１４６１Ａは、第２状態Ｐ２では接しているが、第２挿入部本体１４１Ａが弾性変形して第１状態Ｐ１になると第１端部部材１４５１Ａおよび第２端部部材１４６１Ａの間に隙間を生じさせる。
【００９５】
第２挿入部本体１４１Ａは、第１方向Ｄ１および第２方向Ｄ２に対して交差する方向に弾性変形することで第２開口部１４３Ａが変形し、第１状態Ｐ１と第２状態Ｐ２が切り替えられる。具体的には、第２挿入部本体１４１Ａは、第１挿入部材１４５１および第２挿入部材１４６１を外向きに広げる力Ｆ１およびＦ２が加わると、第１挿入部材１４５１および第２挿入部材１４６１に曲げ応力が作用し、第１挿入部材１４５１および第２挿入部材１４６１は、それぞれ矢印Ｔ３および矢印Ｔ４の方向に弾性変形する。これに伴って、第１端部部材１４５１Ａおよび第２端部部材１４６１Ａは、それぞれ矢印Ｔ５および矢印Ｔ６の方向に移動し、第１端部部材１４５１Ａおよび第２端部部材１４６１Ａの間に隙間を生じさせる。これにより、第２開口部１４３Ａの形状が変化し、被収容物５００が第２開口部１４３Ａを第１方向Ｄ１および第２方向Ｄ２へ通過することを許容する状態（第１状態Ｐ１）となる。
【００９６】
これに対して、第１挿入部材１４５１および第２挿入部材１４６１を外向きに広げる力Ｆ１およびＦ２が加わらない状態では、第２開口部１４３Ａは元の形状に戻り、被収容物５００が第２開口部１４３Ａを第１方向Ｄ１および第２方向Ｄ２へ通過することを許容しない状態（第２状態Ｐ２）に切り替えられる。この状態では、第１端部部材１４５１Ａおよび第２端部部材１４６１Ａは、相互に接触しており、第１端部部材１４５１Ａおよび第２端部部材１４６１Ａの間に隙間を生じさせない状態となる。
【００９７】
図１１は、本発明の実施形態２の第２の変形例に係る装飾体２００Ｂの斜視図である。図１１に示すように、第２挿入部本体１４１Ｂは、第１挿入部材１４５２、第２挿入部材１４６２、第２屈曲部１４８２、第１端部部材１４５２Ｂ、および第２端部部材１４６２Ｂを有している。第１挿入部材１４５２は、第２挿入部本体１４１Ｂの左部を構成しており、第２挿入部材１４６２は、第２挿入部本体１４１Ｂの右部を構成している。第１挿入部材１４５２および第２挿入部材１４６２の後部は接続されており、第２屈曲部１４８２が配置されている。一方、第１挿入部材１４５２および第２挿入部材１４６２の前部は接続されておらず、分離部１４９が形成されている。つまり、第２挿入部本体１４１Ｂは、閉じた環形状ではなく、第２開口部１４３Ｂの一部が開いた形状である。分離部１４９を構成する第１挿入部材１４５２および第２挿入部材１４６２の端部は、第２挿入部本体１４１Ｂの弾性変形に伴って間隔が変化する。
【００９８】
分離部１４９を構成する第１挿入部材１４５２および第２挿入部材１４６２の端部には、それぞれ第１端部部材１４５２Ｂおよび第２端部部材１４６２Ｂが設けられている。第１端部部材１４５２Ｂおよび第２端部部材１４６２Ｂは、それぞれ鉤状に湾曲している。第１端部部材１４５２Ｂおよび第２端部部材１４６２Ｂは、間隙を有しており、第２挿入部本体１４１Ａの弾性変形に応じて間隙の大きさが変化する。
【００９９】
第２挿入部本体１４１Ｂは、第１方向Ｄ１および第２方向Ｄ２に対して交差する方向に弾性変形することで第２開口部１４３Ｂが変形し、第１状態Ｐ１と第２状態Ｐ２が切り替えられる。具体的には、第２挿入部本体１４１Ｂは、第１挿入部材１４５２および第２挿入部材１４６２を外向きに広げる力Ｆ１およびＦ２が加わると、第１挿入部材１４５２および第２挿入部材１４６２に曲げ応力が作用し、第１挿入部材１４５２および第２挿入部材１４６２は、それぞれ矢印Ｔ３および矢印Ｔ４の方向に弾性変形する。これに伴って、第１端部部材１４５２Ｂおよび第２端部部材１４６２Ｂは、それぞれ矢印Ｔ７および矢印Ｔ８の方向に移動し、第１端部部材１４５２Ｂおよび第２端部部材１４６２Ｂの間隙が減少する。これにより、第２開口部１４３Ｂの形状が変化し、被収容物５００が第２開口部１４３Ｂを第１方向Ｄ１および第２方向Ｄ２へ通過することを許容する状態（第１状態Ｐ１）となる。
【０１００】
これに対して、第１挿入部材１４５２および第２挿入部材１４６２を外向きに広げる力Ｆ１およびＦ２が加わらない状態では、第２開口部１４３Ｂは元の形状に戻り、被収容物５００が第２開口部１４３Ｂを第１方向Ｄ１および第２方向Ｄ２へ通過することを許容しない状態（第２状態Ｐ２）に切り替えられる。この状態では、第１端部部材１４５２Ｂおよび第２端部部材１４６２Ｂの間隙は増大した状態となる。
【０１０１】
以上説明した本発明の実施形態２の変形例に係る装飾体２００Ａ，２００Ｂによれば、第２挿入部本体１４１Ａ，１４１Ｂは、分離部１４９を有する。このため、第２挿入部本体１４１Ａ，１４１Ｂを弾性変形させやすくすることができ、収容部１２０に収容した被収容物５００の交換を容易に行うことができる。
【０１０２】
［実施形態３］
実施形態３の装飾体３００では、挿入部２４０が弾性変形して第１支持部２４１および第２支持部２４２の間隔が変化することによって、第１状態Ｐ１と第２状態Ｐ２が切り替えられる点で、実施形態１の装飾体１００、２００とは異なる。以下の説明において、実施形態１と同様の構成には同一の符号を付して説明を省略し、実施形態１と異なる構成についてのみ説明する。
【０１０３】
［全体構成］
図１２は、本発明の実施形態３に係る装飾体３００の斜視図である。図１２に示すように、装飾体３００は、収容部２２０、挿入部２４０および取付部２６０を備えている。本実施形態では、挿入部２４０が収容部２２０および取付部２６０を兼ねている。
【０１０４】
収容部２２０は、被収容物５００を収容する部分である。本実施形態では、挿入部２４０が収容部２２０を兼ねている。挿入部２４０の内側には、被収容物５００を収容するための収容空間２２１が構成されている。
【０１０５】
挿入部２４０は、第１支持部２４１、第２支持部２４２、および接続部２４３を有している。第１支持部２４１および第２支持部２４２は、それぞれ環状の部材である。第１支持部２４１および第２支持部２４２は、互いに間隔を置いて配置されている。第１支持部２４１および第２支持部２４２の下部は、接続部２４３によって接続されている。
【０１０６】
収容空間２２１に収容された被収容物５００は、第１支持部２４１、第２支持部２４２、および接続部２４３の内側面によって支持される（図１５参照）。第１支持部２４１、第２支持部２４２、および接続部２４３の間隔は、収容された被収容物５００を外部から視認しやすく、かつ、被収容物５００が抜け落ちにくい寸法に設定されている。
【０１０７】
ここで、収容空間２２１に被収容物５００を収容するために、収容空間２２１の外部から収容空間２２１に向けて被収容物５００を移動させる方向を第１方向Ｄ１とする。反対に、収容空間２２１に収容された被収容物５００を取り出すために、収容空間２２１から収容空間２２１の外部に向けて被収容物５００を移動させる方向を第２方向Ｄ２とする。図１２では、第１方向Ｄ１および第２方向Ｄ２を矢印で示している。
【０１０８】
第１支持部２４１および第２支持部２４２は、第１方向Ｄ１および第２方向Ｄ２に対して交差する方向に弾性変形することで、第１支持部２４１および第２支持部２４２の間隔Ｌ１が変化し、第１状態Ｐ１と第２状態Ｐ２が切り替えられる。具体的には、第１支持部２４１および第２支持部２４２に外向きの力Ｆ１およびＦ２が加わることにより、それぞれ矢印Ｔ１および矢印Ｔ２の方向に弾性変形する。これにより、第１支持部２４１および第２支持部２４２の間隔Ｌ１が変化して、被収容物５００が第１支持部２４１および第２支持部２４２の間を第１方向Ｄ１および第２方向Ｄ２へ通過することを許容する状態（第１状態Ｐ１）と、被収容物５００が第１支持部２４１および第２支持部２４２の間を第１方向Ｄ１および第２方向Ｄ２へ通過することを許容しない状態（第２状態Ｐ２）に切り替えられる。
【０１０９】
［被収容物の収容］
次に、装飾体３００に被収容物５００を収容させる場合について説明する。図１３および図１４は、装飾体３００に被収容物５００を収容する状態を示す斜視図である。図１５は、装飾体３００に被収容物５００を収容した状態を示す斜視図である。図１３、図１４および図１５に示す被収容物５００は一例であり、例えば球形状のパワーストーンである。被収容物５００の直径Ｌは、第２状態Ｐ２における第１支持部２４１および第２支持部２４２の間隔Ｌ１より僅かに大きく、第２状態Ｐ２における第１支持部２４１および第２支持部２４２の間を通過することができないものとする。
【０１１０】
図１３に示すように、装飾体３００に被収容物５００を収容する場合、第２状態Ｐ２における挿入部２４０に対して被収容物５００を第１方向Ｄ１に向けて押し付ける。被収容物５００は、第２状態Ｐ２の第１支持部２４１および第２支持部２４２の間を通過できない大きさであるため、被収容物５００は第１支持部２４１および第２支持部２４２に接触する。この状態で被収容物５００を第１方向Ｄ１に向けてさらに押し付けることにより、第１支持部２４１および第２支持部２４２に対して外向きの力Ｆ１およびＦ２が加えられ、第１支持部２４１および第２支持部２４２はそれぞれ矢印Ｔ１および矢印Ｔ２の方向に弾性変形する。
【０１１１】
図１４に示すように、第１支持部２４１および第２支持部２４２がそれぞれ矢印Ｔ１および矢印Ｔ２の方向に弾性変形することにより、第１支持部２４１および第２支持部２４２の間隔Ｌ１が、被収容物５００の直径Ｌと同じ間隔Ｌ２まで広がると、挿入部２４０は第１状態Ｐ１に切り替えられる。そして、さらに挿入部２４０に対して被収容物５００を第１方向Ｄ１に向けて押し込むことにより、図１５に示すように、被収容物５００は、挿入部２４０を通過し、収容部２２０の収容空間２２１に収容される。被収容物５００が収容部２２０に収容されると、第１支持部２４１および第２支持部２４２には外向きの力Ｆ１およびＦ２が加わらなくなる。すると、挿入部２４０は第１状態Ｐ１から第２状態Ｐ２に戻るため、収容部２２０に被収容物５００が収容された状態が維持される。
【０１１２】
なお、被収容物５００の形状は球体に限定されない。被収容物５００の形状は、挿入部２４０が第１状態Ｐ１のときに第１支持部２４１および第２支持部２４２の間を通過でき、挿入部２４０が第２状態Ｐ２のとき収容部２２０に収容された状態が維持されるものであればよい。
【０１１３】
また、収容部２２０に収容された被収容物５００をより安定させるために、粘着性を有するシート状部材、たとえばテープや粘着ジェルなどを被収容物５００と収容部２２０の間に配置するようにしてもよい。
【０１１４】
［被収容物の交換］
被収容物５００を交換する場合など、装飾体３００に収容された被収容物５００を取り出す場合、収容する場合とは反対に、第２状態Ｐ２である挿入部２４０に対して収容部２２０の内側から被収容物５００を第２方向Ｄ２に向けて押し付ける（図１５参照）。すると、被収容物５００が第１支持部２４１および第２支持部２４２に接触し、第１挿入部材１４５および第２挿入部材１４６に対して外向きの力Ｆ１およびＦ２が加えられる。これにより、第１支持部２４１および第２支持部２４２がそれぞれ矢印Ｔ１および矢印Ｔ２の方向に弾性変形して、第１支持部２４１および第２支持部２４２の間隔Ｌ２まで広がり、挿入部２４０が第１状態Ｐ１に切り替えられる（図１４参照）。さらに被収容物５００を挿入部２４０に対して第２方向Ｄ２に向けて押し出すことにより、被収容物５００は、第１状態Ｐ１となった挿入部２４０を通過し、収容部２２０の収容空間２２１から外部に取り出される（図１３参照）。
【０１１５】
［装着部の取り付け］
装飾体３００は、挿入部２４０が取付部２６０を兼ねている。例えば装飾体３００を指輪のチャームとして使用するため、装飾体３００に指輪のリング６２０を取り付けるには、まず、挿入部２４０に指輪のリング６２０を通過させ、リング６２０を接続部２４３の上方に配置する。その状態で、収容空間２２１に被収容物５００を収容することで、図１５に示すように、装飾体１００に指輪のリング６２０を取り付けることができる。
【０１１６】
［種類の異なるアクセサリーへの変更］
また、装飾体３００をネックレスやブレスレットのチャームとして使用する場合、図１５に示す指輪のリング６２０に換えて、例えば第２支持部２４２と被収容物５００の隙間に装着部６００としてのチェーン６１０を取り付けることができる。なお、チェーン６１０を取り付ける位置は、第２支持部２４２と被収容物５００の隙間に限定されない。また、チェーン６１０を挿通させて取り付けるのではなく、例えば、連結用の金具（例えば、クラスプ）を用いて取り付けてもよい。
【０１１７】
なお、装飾体３００は、挿入部２４０が取付部２６０を兼ねているが、取付部２６０を別途設けるようにしてもよい。図１６は、装飾体３００に取付部２６１，２６２を設けた場合を示す斜視図である。図１６に示すように、第２支持部２４２の内側に取付部２６１を設けたり、第２支持部２４２の外側に取付部２６２を設けてもよい。この場合、取付部２６１と第２支持部２４２、または取付部２６２と第２支持部２４２がいわゆるバチカンを構成する。バチカンには、例えば、装着部６００としてのチェーン６１０を取り付けることができる。この場合、チェーン６１０の位置が安定し、装着体３００の姿勢を安定させることができる。
【０１１８】
［変形例］
上記説明した装飾体３００の第１支持部２４１および第２支持部２４２は、互いに略同様の形状としたが、これに限定されない。例えば、図１７および図１８は、実施形態３の第１の変形例に係る装飾体３００Ａの斜視図である。図１７は、被収容物５００を収容する前の状態、図１８は、被収容物５００を収容した状態を示している。図１７および図１８に示すように、第１支持部２４１Ａおよび第２支持部２４２Ａの形状は、互いに異なっていてもよい。
【０１１９】
図１９および図２０は、実施形態３の第２の変形例に係る装飾体３００Ｂの斜視図である。図１９は、被収容物５００を収容する前の状態、図２０は、被収容物５００を収容した状態を示している。図１９および図２０に示すように、第１支持部２４１Ｂおよび第２支持部２４２Ｂの形状は、それぞれ環状でなくてもよく、かつ、互いに異なっていてもよい。
【０１２０】
図２１および図２２は、実施形態３の第３の変形例に係る装飾体３００Ｃの斜視図である。図２１は、被収容物５００（５０３、５０４）を収容する前の状態、図２２は、被収容物５００を収容した状態を示している。図２１および図２２に示すように、第１支持部２４１Ｃおよび第２支持部２４２Ｃの間に複数の被収容物５０３，５０４を収容するようにしてもよい。
【０１２１】
図２３および図２４は、実施形態３の第４の変形例に係る装飾体３００Ｄの斜視図である。図２３は、被収容物５００を収容する前の状態、図２４は、被収容物５００を収容した状態を示している。図２３および図２４に示すように、第２支持部２４２Ｄの側方に、さらに第３支持部２４３Ｄを設けてもよい。この場合、第１支持部２４１Ｄおよび第２支持部２４２Ｄの間に被収容物５０３を収容し、第２支持部２４２Ｄおよび第３支持部２４３Ｄの間に被収容物５０４を収容してもよい。
【０１２２】
［実施形態３の効果］
装飾体３００によれば、挿入部２４０が弾性変形し、第１支持部２４１および第２支持部２４２の間隔が変化することによって、第１状態Ｐ１と第２状態Ｐ２が切り替えられる。このため、収容部２４０に収容した被収容物５００の交換を容易に行うことができる。
【０１２３】
装飾体３００によれば、収容部２４０は、第１支持部２４１および第２支持部２４２によって構成されている。このため、収容部２４０の構成を簡易なものにすることができ、装飾体３００のデザインの自由度を増大させることができる。
【０１２４】
装飾体３００によれば、挿入部２４０は、収容部２２０および取付部２６０を兼ねている。このため、装飾体３００の構成を簡易なものにすることができ、装飾体３００のデザインの自由度を増大させることができる。
［変形例］
本発明に係る装飾体は、上記説明した本実施形態に限定されない。例えば、装飾体の形状は、本実施形態の形状に限定されない。
【０１２５】
本発明の装飾体がチャームとして用いられるアクセサリーは、ピアス、イヤリング、ネックレス、ブレスレット、指輪など直接身体に付けて使用されるもののほか、ピン、バッジ、宝石ブローチ、タイピンなど、直接身体に身に付けずに衣服等に付けて使用するものであってもよい。
【０１２６】
装飾体に収容される被収容物は、宝石、パワーストーンのほか、鉱石、原石、真珠、貝殻、ガラス、合成樹脂など、素材は天然物、人工物を問わない。たとえば、宝石としては、貴石、半貴石、自然石、人工石などであってもよい。
【０１２７】
本実施形態では、挿入部または収容部が取付部を兼ねている構成について説明したが、取付部を独立して設けてもよい。
【０１２８】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【符号の説明】
【０１２９】
１００、２００、３００  装飾体
２０  収容部
４０  挿入部
６０  取付部
Ｄ１  第１方向
Ｄ２  第２方向
Ｐ１  第１状態
Ｐ２  第２状態
５００  被収容物
６００  装着部
【図１】
2018061699.tif 000003
【図２】
2018061699.tif 000004
【図３】
2018061699.tif 000005
【図４】
2018061699.tif 000006
【図５】
2018061699.tif 000007
【図６】
2018061699.tif 000008
【図７】
2018061699.tif 000009
【図８】
2018061699.tif 000010
【図９】
2018061699.tif 000011
【図１０】
2018061699.tif 000012
【図１１】
2018061699.tif 000013
【図１２】
2018061699.tif 000014
【図１３】
2018061699.tif 000015
【図１４】
2018061699.tif 000016
【図１５】
2018061699.tif 000017
【図１６】
2018061699.tif 000018
【図１７】
2018061699.tif 000019
【図１８】
2018061699.tif 000020
【図１９】
2018061699.tif 000021
【図２０】
2018061699.tif 000022
【図２１】
2018061699.tif 000023
【図２２】
2018061699.tif 000024
【図２３】
2018061699.tif 000025
【図２４】
2018061699.tif 000026